【手続補正書】
【提出日】平成19年2月27日(2007.2.27)
【手続補正１】
【補正対象書類名】特許請求の範囲
【補正対象項目名】全文
【補正方法】変更
【補正の内容】
【特許請求の範囲】
【請求項１】
印刷装置で実行されるべき処理、後処理装置で実行されるべき処理及び前記後処理装置の処理に先立ってオペレータに行わせるべき処理を含むワークフローに係る情報を管理する管理手段と、
前記管理手段で管理されている情報に基いて前記ワークフローにて実行されるべき処理に係る情報がオペレータにより確認可能な報知情報を報知手段により出力させる制御手段を有することを特徴とする画像形成システム。
【請求項２】
請求項1記載の画像形成システムであって、
前記報知情報は、１つのワークフローにて順次実行されるべき前記印刷装置と前記後処理装置による複数の処理がオペレータにより確認可能な報知情報であることを特徴とする画像形成システム。
【請求項３】
請求項１又は２記載の画像形成システムであって、
前記報知情報は、１つのワークフローにて前記後処理装置による後処理に先立ってオペレータに行わせるべき処理がオペレータにより確認可能な報知情報であることを特徴とする画像形成システム。
【請求項４】
請求項１乃至３の何れかに記載の画像形成システムであって、
前記報知情報は、1つのワークフローにて実行されるべき複数の処理の実行順序がオペレータにより確認可能な報知情報であることを特徴とする画像形成システム。
【請求項５】
請求項１乃至４の何れかに記載の画像形成システムであって、
前記報知情報は、1つのワークフローにて実行されるべき処理の実行日時及び所要時間の少なくとも何れかがオペレータにより確認可能な報知情報であることを特徴とする画像形成システム。
【請求項６】
請求項１乃至５の何れかに記載の画像形成システムであって、
前記管理手段は複数のワークフローに関する情報を管理し、
前記報知情報は、前記複数のワークフローにて実行されるべき処理に係る情報をオペレータにより確認可能な報知情報であることを特徴とする画像形成システム。
【請求項７】
請求項１乃至６の何れかに記載の画像形成システムであって、
前記報知情報は、
１つのワークフローにて前記印刷装置と前記後処理装置により順次実行されるべき複数の処理に関する情報とオペレータに行わせるべき処理に関する情報とがそれぞれオペレータにより区別可能な報知情報であることを特徴とする画像形成システム。
【請求項８】
請求項１乃至７の何れかに記載の画像形成システムであって、
前記制御手段は、
第１のジョブに係るワークフローを第２のジョブに係るワークフローよりも先に完了させるために必要な処理に係る情報がオペレータにより確認可能な第１の報知情報と、前記第２のジョブに係るワークフローを前記第１のジョブに係るワークフローよりも先に完了させるために必要な処理に係る情報がオペレータにより確認可能な第２の報知情報とを、それぞれオペレータにより区別できるように前記報知手段により出力させることを特徴とする画像形成システム。
【請求項９】
請求項８記載の画像形成システムであって、
前記制御手段は、
前記第１の報知情報が前記報知手段により出力された後に、前記第２の報知情報を出力させる指示がオペレータにより入力されたことに応じて、前記第２の報知情報を前記報知手段により出力可能にすることを特徴とする画像形成システム。
【請求項１０】
請求項１乃至９の何れかに記載の画像形成システムであって、
前記制御手段は、
ジョブを特定するためのジョブＩＤの入力に基いて、前記報知情報を前記報知手段により出力させることを特徴とする画像形成システム。
【請求項１１】
請求項１乃至１０の何れかに記載の画像形成システムであって、
前記制御手段は、
オペレータを特定するためのオペレータＩＤの入力に基いて、前記報知情報を前記報知手段により出力させることを特徴とする画像形成システム。
【請求項１２】
請求項１乃至１１の何れかに記載の画像形成システムであって、
前記報知手段は、
前記印刷装置が具備する報知手段、前記後処理装置が具備する報知手段、前記印刷装置とデータ通信可能なホストコンピュータが具備する報知手段、オペレータにより携帯可能な携帯端末が具備する報知手段、の少なくとも何れかであることを特徴とする画像形成システム。
【請求項１３】
印刷装置で実行されるべき処理、後処理装置で実行されるべき処理及び前記後処理装置の処理に先立ってオペレータに行わせるべき処理を含むワークフローに係る情報を管理する管理手段を有する画像形成システムの制御方法であって、
前記管理手段により管理されている前記情報に基いて前記ワークフローにて実行されるべき処理に係る情報がオペレータにより確認可能な報知情報を報知手段により出力させることを特徴とする制御方法。
【請求項１４】
請求項１３記載の制御方法であって、
前記報知情報は、１つのワークフローにて順次実行されるべき前記印刷装置と前記後処理装置による複数の処理がオペレータにより確認可能な報知情報であることを特徴とする制御方法。
【請求項１５】
請求項１３又は１４記載の制御方法であって、
前記報知情報は、１つのワークフローにて前記後処理装置による後処理に先立ってオペレータに行わせるべき処理がオペレータにより確認可能な報知情報であることを特徴とする制御方法。
【請求項１６】
請求項１３乃至１５の何れかに記載の制御方法であって、
前記報知情報は、１つのワークフローにて実行されるべき複数の処理の実行順序がオペレータにより確認可能な報知情報であることを特徴とする制御方法。
【請求項１７】
請求項１３乃至１６の何れかに記載の制御方法であって、
前記報知情報は、1つのワークフローにて実行されるべき処理の実行日時及び所要時間の少なくとも何れかがオペレータにより確認可能な報知情報であることを特徴とする制御方法。
【請求項１８】
請求項１３乃至１７の何れかに記載の制御方法であって、
前記管理手段は複数のワークフローに係る情報を管理し、
前記報知情報は、前記複数のワークフローにて実行されるべき処理に係る情報をオペレータにより確認可能な報知情報であることを特徴とする制御方法。
【請求項１９】
請求項１３乃至１８の何れかに記載の制御方法であって、
前記報知情報は、
１つのワークフローにて前記印刷装置と前記後処理装置により順次実行されるべき複数の処理に関する情報とオペレータに行わせるべき処理に関する情報とがそれぞれオペレータにより区別可能な報知情報であることを特徴とする制御方法。
【請求項２０】
請求項１３乃至１９の何れかに記載の制御方法であって、
前記制御方法は、
第１のジョブに係るワークフローを第２のジョブに係るワークフローよりも先に完了させるために必要な処理に係る情報がオペレータにより確認可能な第１の報知情報と、前記第２のジョブに係るワークフローを前記第１のジョブに係るワークフローよりも先に完了させるために必要な処理に係る情報がオペレータにより確認可能な第２の報知情報とを、それぞれオペレータにより区別できるように前記報知手段により出力させることを特徴とする制御方法。
【請求項２１】
請求項２０に記載の制御方法であって、
前記制御方法は、
前記第１の報知情報が前記報知手段により出力された後に、前記第２の報知情報を出力させる指示がオペレータにより入力されたことに応じて、前記第２の報知情報を前記報知手段により出力可能にすることを特徴とする制御方法。
【請求項２２】
請求項１３乃至２１の何れかに記載の制御方法であって、
前記制御方法は、
ジョブを特定するためのジョブＩＤの入力に基いて、前記報知情報を前記報知手段により出力させることを特徴とする制御方法。
【請求項２３】
請求項１３乃至２２の何れかに記載の制御方法であって、
前記制御方法は、
オペレータを特定するためのオペレータＩＤの入力に基いて、前記報知情報を前記報知手段により出力させることを特徴とする制御方法。
【請求項２４】
請求項１３乃至２３の何れかに記載の制御方法であって、
前記報知手段は、
前記印刷装置が具備する報知手段、前記後処理装置が具備する報知手段、前記印刷装置とデータ通信可能なホストコンピュータが具備する報知手段、オペレータにより携帯可能な携帯端末が具備する報知手段、の少なくとも何れかであることを特徴とする制御方法。
【請求項２５】
請求項１３乃至２４の何れかに記載の制御方法をコンピュータに実行させるためのコンピュータ読取可能な記憶媒体。
【請求項２６】
請求項１３乃至２４の何れかに記載の制御方法をコンピュータに実行させるためのプログラム。
【手続補正２】
【補正対象書類名】明細書
【補正対象項目名】発明の名称
【補正方法】変更
【補正の内容】
【発明の名称】画像形成システムおよび制御方法およびプログラムおよび記憶媒体
【手続補正３】
【補正対象書類名】明細書
【補正対象項目名】００１２
【補正方法】変更
【補正の内容】
【００１２】
本発明は、上記の問題点を解決するためになされたもので、本発明の目的は、印刷業界及びＰＯＤ市場における画像形成処理の工程を分類化し、各工程（原稿編集、プルーフ、プリント、後処理、ファイル保管、納品・発送、スキャン等の各工程）に対してのスケジューリングを作業者の業務という観点で行って効率的な工程管理を行うことができる仕組みを提供することである。
【手続補正４】
【補正対象書類名】明細書
【補正対象項目名】００１３
【補正方法】変更
【補正の内容】
【００１３】
本発明は、印刷装置で実行されるべき処理、後処理装置で実行されるべき処理及び前記後処理装置の処理に先立ってオペレータに行わせるべき処理を含むワークフローに係る情報を管理する管理手段と、前記管理手段で管理されている情報に基いて前記ワークフローにて実行されるべき処理に係る情報がオペレータにより確認可能な報知情報を報知手段により出力させる制御手段を有することを特徴とする。
【手続補正５】
【補正対象書類名】明細書
【補正対象項目名】００１４
【補正方法】変更
【補正の内容】
【００１４】
また、本発明は、印刷装置で実行されるべき処理、後処理装置で実行されるべき処理及び前記後処理装置の処理に先立ってオペレータに行わせるべき処理を含むワークフローに係る情報を管理する管理手段を有する画像形成システムの制御方法であって、前記管理手段により管理されている前記情報に基いて前記ワークフローにて実行されるべき処理に係る情報がオペレータにより確認可能な報知情報を報知手段により出力させることを特徴とする。
【手続補正６】
【補正対象書類名】明細書
【補正対象項目名】００１５
【補正方法】変更
【補正の内容】
【００１５】
本発明によれば、印刷業界及びＰＯＤ市場における画像形成処理の工程を分類化し、各工程（原稿編集、プルーフ、プリント、後処理、ファイル保管、納品・発送、スキャン等の各工程）に対してのスケジューリングを作業者の業務という観点で行って効率的な工程管理を行うことができる等の効果を奏する。